(57)【要約】【課題】  一つの中性線端子を通して全ての中性線を一時に締結することで、結線作業工程および作業時間を短縮し、接続部の大きさを減少し、絶縁などの問題を解消する。【解決手段】  固定子と、回転子と、多数の中性線を有するとともに、多相の交流電源を受けて前記回転子を回転するための回転磁界を発生するように、固定子に設けられた巻線部と、前記多数の中性線を一体に一時に締結するための単一の中性線端子とを含んでモータを構成する。【選択図】      図１
2006121883.tif 000002
【特許請求の範囲】
【請求項１】
固定子と;
回転子と;
多数の中性線を有するとともに、多相の交流電源を受けて前記回転子を回転するための回転磁界を発生するように、前記固定子に設けられた巻線部と;
前記多数の中性線を一体に一時に締結するための単一の中性線端子とを含むことを特徴とするモータ。
【請求項２】
前記中性線端子は、
前記多数の中性線を全て受容するための受容部と;
前記受容された中性線を圧着固定するための固定部とを含んで構成されることを特徴とする請求項１記載のモータ。
【請求項３】
前記受容部と前記固定部との間の連結部は、弾性体により形成されることを特徴とする請求項２記載のモータ。
【請求項４】
前記受容部および前記固定部は、導体により形成されることを特徴とする請求項２記載のモータ。
【請求項５】
モータの多数の中性線を締結するためのモータの中性線端子であって、
前記多数の中性線を全て受容するための受容部と;
前記受容された中性線を圧着固定するための固定部とを含むことを特徴とするモータの中性線端子。
【請求項６】
前記受容部と前記固定部との間の連結部は、弾性体により形成されることを特徴とする請求項５記載のモータの中性線端子。
【請求項７】
前記受容部および前記固定部は、導体により形成されることを特徴とする請求項５記載のモータの中性線端子。
【請求項８】
モータの多数の中性線を備えたモータの中性線締結方法であって、
前記多数の中性線を一体に受容し、
前記受容された各中性線を一時に圧着固定することを特徴とするモータの中性線締結方法。
【請求項９】
前記受容された中性線を圧着固定するために、弾性体を用いることを特徴とする請求項８記載のモータの中性線締結方法。
【発明の詳細な説明】
【技術分野】
【０００１】
本発明は、モータ、中性線端子及びその中性線の締結方法に関するもので、詳しくは、多相の電源が供給されるように巻線部が設けられたモータにおいて、多数のモータ中性線を締結する端子およびその締結方法に関するものである。
【背景技術】
【０００２】
一般に、モータは、固定子および回転子により構成される。また、この固定子内部の固定子スロットに絶縁部を形成し、各固定子スロットにコイルを巻線すると、各固定子スロットの端末から多数の線(すなわち、巻線の終端)が出るようになる。これら多数の線は、Ｕ相、Ｖ相、Ｗ相の線および中性線などにより構成される。また、回転子を回転するための磁界が形成されるように各相の線が電気的に連結されるが、これら各相の線は、中性線を通して共通に連結される。ここで、中性点は、多相交流系統の位相差によって電流が０になる点をいう。
【０００３】
従来のモータに電源が印加されると、固定子コイルに流れる電流によって回転磁場が形成されるが、この回転磁場は、中性線端子を通して各相の相電流が流れることで形成される。この回転磁場の影響により、回転子の磁極が固定子スロットに対して吸入または反発することで、回転子が回転するようになる。
【０００４】
しかしながら、従来のモータにおいて、巻線後の中性線の数が多くて結線作業工程が増加するため、結果的に作業時間を多く要する。また、多数の中性線が集まっているため、接続部が大きくなり、絶縁などの問題が発生する。
【発明の開示】
【発明が解決しようとする課題】
【０００５】
本発明は、一つの中性線端子を通して全ての中性線を一時に締結することで、結線作業工程および作業時間を短縮し、接続部の大きさを減少し、絶縁などの問題を解消することを目的とする。
【課題を解決するための手段】
【０００６】
前記目的を達成するために、本発明に係るモータは、固定子と、回転子と、多数の中性線を有するとともに、多相の交流電源を受けて前記回転子を回転するための回転磁界を発生するように、前記固定子に設けられた巻線部と、前記多数の中性線を一体に一時に締結するための単一の中性線端子とを含むことを特徴とする。
【０００７】
また、前記中性線端子は、前記多数の中性線を全て受容するための受容部と、前記受容された中性線を圧着固定するための固定部とを含んで構成されることを特徴とする。
【０００８】
また、前記受容部と前記固定部との間の連結部は、弾性体により形成されることを特徴とする。また、前記受容部および前記固定部は、導体により形成されることを特徴とする。
【０００９】
前記目的を達成するために、本発明に係るモータの中性線端子は、前記多数の中性線を全て受容するための受容部と、前記受容された中性線を圧着固定するための固定部とを含むことを特徴とする。
【００１０】
また、前記受容部と前記固定部との間の連結部は、弾性体により形成されることを特徴とする。また、前記受容部および前記固定部は、導体により形成されることを特徴とする。
【００１１】
前記目的を達成するために、本発明に係るモータの中性線締結方法は、前記多数の中性線を一体に受容し、前記受容された各中性線を一時に圧着固定することを特徴とする。また、前記受容された中性線を圧着固定するために、弾性体を用いることを特徴とする。
【発明の効果】
【００１２】
本発明は、一つの中性線端子を通して全ての中性線を一時に締結することで、結線作業工程および作業時間を短縮し、接続部の大きさを縮小し、絶縁などの問題を解消するという効果がある。
【発明を実施するための最良の形態】
【００１３】
以下、このように構成された本発明の実施の形態を、図１乃至図４に基づいて説明する。まず、図１は、本発明の実施形態によるモータ固定子を示した平面図であり、図２は、図１のモータ固定子を示した側面図である。図１及び図２に示すように、固定子１０２内部の固定子スロットに固定子コイルが巻き取られた巻線部１０６が設けられ、巻線部１０６と固定子１０２との間に絶縁部１０４が形成される。巻線部１０６の上部には、各相(Ｕ、Ｖ、Ｗ)の相電流が供給される各線が突出され、巻線部１０６の下部には、各中性線１０８が突出される。中性線端子１１０は、これら中性線１０８を一つに締結して取り付けるために使用される。
【００１４】
図３は、図１のモータ固定子を示した回路図である。図３に示すように、電源を受けるために巻き取られた巻線部１０６では、各相(Ｕ、Ｖ、Ｗ)のコイルが一つの閉回路を形成し、各相の中性線は、中性線端子１１０により一つに締結されて電気的に連結される。
【００１５】
図４は、図２の中性線端子を示した図であり、図４(Ａ)は斜視図で、図４(Ｂ)は正面図で、図４(Ｃ)は側面図である。まず、図４(Ａ)に示すように、本発明の実施形態による中性線端子１１０は、上部パネル１１０ａ、後部パネル１１０ｂ、前部パネル１１０ｃおよび下部パネル１１０ｄにより構成される。上部パネル１１０ａ、後部パネル１１０ｂおよび下部パネル１１０ｄには、全ての中性線１０８を受容する受容部を形成し、前部パネル１１０ｃには、これら受容された各中性線１０８を圧着固定する固定部を形成する。
【００１６】
すなわち、上部パネル１１０ａは、後部パネル１１０ｂの一端とほぼ直角をなして一体に連結される。また、前部パネル１１０ｃは、後部パネル１１０ｂの他端と屈曲をなして一体に連結される。これら上部パネル１１０ａ、後部パネル１１０ｂおよび前部パネル１１０ｃは、三つの中性線１０８を取り囲んでおり、下部パネル１１０ｄは、後部パネル１１０ｂの側面に上部パネル１１０ａから所定距離離れて形成される。ここで、上部パネル１１０ａと下部パネル１１０ｄとの間の距離は、三つの中性線１０８の直径の合計に当る距離であり、これら上部パネル１１０ａおよび下部パネル１１０ｄにより、三つの中性線１０８が相互密着される。
【００１７】
図４の中性線端子１１０は、一つの実施形態であり、多数の中性線を一時に一つに締結できる構造であれば、如何なる構造でも良い。また、上部パネル１１０ａと下部パネル１１０ｄとの間の間隔は、必ず全ての中性線の直径の合計に制限されることなく、全ての中性線が、相互接触する状態で上部パネル１１０ａと下部パネル１１０ｄとの間に受容される程度の間隔であればよい。このとき、前部パネル１１０ｃの長さは、上部パネル１１０ａと下部パネル１１０ｄとの間に受容される全ての中性線１０８を前面で圧着固定できる程度の長さであることが好ましい。
【００１８】
前部パネル１１０ｃは、後部パネル１１０ｂと屈曲をなして設けられるが、これは、前部パネル１１０ｃを伸ばして上部パネル１１０ａと下部パネル１１０ｄとの間に多数の中性線１０８を挿入した後、前部パネル１１０ｃを中性線１０８側に圧着することで、多数の中性線１０８を中性線端子１１０に密着固定するためである。このために、前部パネル１１０ｃと後部パネル１１０ｂとの間の連結部は、弾性を有することが好ましい。また、このような中性線端子１１０は、導体により形成するとともに、各中性線１０８を一時に一体に締結することで、電気的端子の役割を行う。
【図面の簡単な説明】
【００１９】
【図１】本発明の実施形態によるモータ固定子を示した平面図である。
【図２】図１のモータ固定子を示した側面図である。
【図３】図１のモータ固定子を示した回路図である。
【図４】図２の中性線端子を示した図である。
【符号の説明】
【００２０】
１０２  固定子
１０４  絶縁部
１０６  巻線部
１０８  中性線
１１０  中性線端子
【図１】
2006121883.tif 000003
【図２】
2006121883.tif 000004
【図３】
2006121883.tif 000005
【図４】
2006121883.tif 000006